(57)【要約】  球状の宝飾体を抱持する状態と、隣接するクラスプと互いに係合する状態とを取ることができるようにして、外観の意匠性に優れるとともにユーザの利便性を向上させた装身具用クラスプを提供する。  本発明のクラスプ１０は、球状の宝飾体の一側の半球部分の外側表面に沿って延びる第１の環状体１および他側の半球部分の外側表面に沿って延びる第２の環状体２とを有する。第１および第２の環状体は、閉鎖状態で互いに隣接する一対のクラスプのうち、一方のクラスプの基端部が他方のクラスプの内部を通過して延びるとともに他方のクラスプの基端部が一方のクラスプの内部を通過して延びることができるように、その基端部の形状が構成されている。
2011092846.tif 000002
【特許請求の範囲】
【請求項１】
球状の宝飾体をその内部に抱持可能なクラスプであって、
前記宝飾体を抱持したときに前記宝飾体の一側の半球部分の外側表面に沿って延びる第１の環状体および他側の半球部分の外側表面に沿って延びる第２の環状体と、
前記第１および第２の環状体が前記宝飾体を抱持した閉鎖状態と前記宝飾体を取り出し可能な開放状態との間で相対揺動できるように、前記第１および第２の環状体の基端部同士を接続する支軸と、
前記第１および第２の環状体が閉鎖状態にあるときに前記第１および第２の環状体の揺動端同士を係脱自在に係止する係止手段と、を備え、
前記第１および第２の環状体は、閉鎖状態で互いに隣接する一対のクラスプのうち、一方のクラスプの基端部が他方のクラスプの内部を通過して延びるとともに他方のクラスプの基端部が一方のクラスプの内部を通過して延びることができるように、その基端部の形状が構成されていることを特徴とする装身具用クラスプ。
【請求項２】
前記第１および第２の環状体は、その基端部の幅が狭められて直線状に延びるとともに、その中間部および揺動端部が円形を呈するように延びていることを特徴とする請求項１に記載した装身具用クラスプ。
【請求項３】
前記第１および第２の環状体は、平面上に展開したときに涙滴状の形を呈することを特徴とする請求項２に記載した装身具用クラスプ。
【請求項４】
前記第１および第２の環状体のいずれか一方に、紐状に延びる前記宝飾体の列の端部を接続するための接続手段が設けられていることを特徴とする請求項１に記載した装身具用クラスプ。
【発明の詳細な説明】
【技術分野】
【０００１】
本発明は、装身具用クラスプに関し、より詳しくは、例えば真珠ネックレスの両端にそれぞれ設けた２つのクラスプが、それぞれ真珠を抱持する状態と互いに係合する状態とを取ることができるようにして、外観の意匠性およびユーザの利便性を高める技術に関する。
【背景技術】
【０００２】
従来、真珠ネックレスのなかには、真珠を抱持可能なクラスプ（留め具）をその両端に備えたタイプのものがある。
このタイプの真珠ネックレスにおいては、紐状に並ぶ一連の真珠のいずかれ１つを一端のクラスプが抱持し、かつ残りの真珠のいずれか１つを他端のクラスプが抱持することにより、この真珠ネックレスの長さを調節し、あるいは首に掛けたときの形態を変化させることができるようになっている（例えば、下記特許文献１を参照）。【０００３】
また、真珠を抱持するタイプのクラスプのなかには、２つのクラスプを互いに連結することにより、首に掛けた真珠ネックレスの形を様々に変化させることができるようにしたものがある（例えば、下記特許文献２，３を参照）。
【先行技術文献】
【特許文献】
【０００４】
【特許文献１】実公平４−４０４８４号公報（第７図〜第９図）
【特許文献２】実公昭６３−１０７３６号公報
【特許文献３】特開２００７−２７５３９８号公報
【発明の概要】
【発明が解決しようとする課題】
【０００５】
ところが、上記特許文献１に記載されているクラスプは、真珠ネックレスの両端にそれぞれ設けられている２つのクラスプを互いに連結できない構造となっている。
これにより、その第９図に描かれているように、真珠ネックレスを最も長く延びる状態にセットすると、２つのクラスプの間で紐状に並ぶ一連の真珠の列が二重に並ぶこととなり、外観の意匠性を向上させることができない。【０００６】
また、上記特許文献２，３に記載されているクラスプは、いずれも２つのクラスプを止め輪で接続する構造であり、外観の意匠性が劣るばかりでなく、止め輪の脱着が容易ではなくユーザの利便性に劣る。【０００７】
そこで本発明の目的は、上述した従来技術が有する問題点を解消し、球状の宝飾体を抱持する状態と、隣接するクラスプ同士が互いに係合する状態とを取ることができるようにして、外観の意匠性に優れるとともにユーザの利便性を向上させた装身具用クラスプを提供することにある。
【課題を解決するための手段】
【０００８】
上記の課題を解決する本発明は、
球状の宝飾体をその内部に抱持可能なクラスプであって、
前記宝飾体を抱持したときに前記宝飾体の一側の半球部分の外側表面に沿って延びる第１の環状体および他側の半球部分の外側表面に沿って延びる第２の環状体と、
前記第１および第２の環状体が前記宝飾体を抱持した閉鎖状態と前記宝飾体を取り出し可能な開放状態との間で相対揺動できるように、前記第１および第２の環状体の基端部同士を接続する支軸と、
前記第１および第２の環状体が閉鎖状態にあるときに前記第１および第２の環状体の揺動端同士を係脱自在に係止する係止手段と、を備え、
前記第１および第２の環状体は、閉鎖状態で互いに隣接する一対のクラスプのうち、一方のクラスプの基端部が他方のクラスプの内部を通過して延びるとともに他方のクラスプの基端部が一方のクラスプの内部を通過して延びることができるように、その基端部の形状が構成されていることを特徴とする。【０００９】
すなわち、本発明の装身具用クラスプは、例えば真珠ネックレスの両端にそれぞれ設けることができる。
これにより、紐状に並ぶ一連の真珠のいずかれ１つを一端のクラスプが抱持し、かつ残りの真珠のいずれか１つを他端のクラスプが抱持することにより、この真珠ネックレスの長さを調節し、あるいは紐状に延びる一連の真珠の列を２つのクラスプの間で二重に配置することができる。
さらに、本発明の装身具用クラスプは、止め輪を用いることなく２つのクラスプ同士を互いに組み合わせて接続できるようになっている。
これにより、互いに組み合わせた２つのクラスプが新規な意匠を構成してその外観の意匠性に優れるばかりでなく、ユーザが２つのクラスプ同士を容易に組み合わせあるいは取り外すことができてその利便性を高めることができる。【００１０】
さらに、第１および第２の環状体は、その基端部の幅が狭められて直線状に延びるとともに、その中間部および揺動端部が円形を呈するように構成することができる。【００１１】
また、第１および第２の環状体は、平面上に展開したときに涙滴状の形を呈するように構成することができる。【００１２】
なお、第１および第２の環状体の少なくともいずれか一方に、紐状に延びる宝飾体の列の端部を接続するための接続手段を設けることができる。
【発明の効果】
【００１３】
したがって、本発明によれば、外観の意匠性に優れるとともにユーザの利便性を向上させた装身具用クラスプを提供することができる。
【図面の簡単な説明】
【００１４】
【図１】本発明の装身具用クラスプの一実施形態を示す６面図。
【図２】図１に示したクラスプの開閉動作を示す図。
【図３】図１に示したクラスプを平面上に展開した状態を示す図。
【図４】図１に示したクラスプの要部を破断して示す側面図。
【図５】図１に示したクラスプ同士を開放して互いに組み合わせた状態を示す図。
【図６】図１に示したクラスプ同士を閉鎖して互いに組み合わせて状態を示す図。
【図７】図１に示したクラスプを開放して真珠を受け入れる状態を示す図。
【図８】図１に示したクラスプを閉鎖してその内部に真珠を抱持した状態を示す図。
【発明を実施するための形態】
【００１５】
以下、図１〜図８を参照し、本発明の装身具用クラスプの一実施形態について詳細に説明する。
【００１６】
図１〜図４に示したように、本実施形態のクラスプ１０は、第１の環状体１と第２の環状体２とを、ヒンジ部３の支軸３ａによって相対揺動自在に接続した構造となっている。
また、第１の環状体１の揺動端にはリング４が設けられ、図５〜図８に示したように、紐状に延びる一連の真珠Ｓの列の端部を金具（図示せず）によって接続できるようになっている。
【００１７】
さらに、第２の環状体２の揺動端には係止手段５が設けられ、第１の環状体１の揺動端に係合して、このクラスプ１０を閉鎖状態に保持できるようになっている。
この係止手段５は、図４に示したように、第２の環状体２の揺動端部に設けた外向きの突起５ａおよび内向きの突起５ｂと、第１の環状体１の内周面に形成された凹部１ｄとを有している。
これにより、第２の環状体２の揺動端部を第１の環状体１の揺動端部に押し付けると、内向きの突起５ｂが凹部１ｄに入り込むため、クラスプ１０は閉鎖状態に保持される。
これに対して、ユーザが一方の手の指でリング４を保持しつつ、他方の手の指で外向きの突起５ａを外側に押動すると、クラスプ１０を開放状態とすることができる。
【００１８】
ところで、第１および第２の環状体１，２は、図３に示したように、平面上に展開したときに真円ではなく涙滴に近い形状を呈するようになっている。
言い換えると、第１および第２の環状体１，２の基端部１ａ，２ａは、その全体的な幅がＷ１に狭められて直線状に延びている。
これに対して、第１および第２の環状体１，２の中間部１ｂ，２ｂおよび揺動端部１ｃ，２ｃは、その全体的な幅がＷ２に拡げられてほぼ円形に延びている。
【００１９】
これにより、本実施形態のクラスプ１０においては、図５に示したように、共に開放状態にある一対のクラスプ１０Ａ，１０Ｂを、その基端部同士の相対角度を９０度ずらした状態で互いに接近させることができる。
そして、図６に示したように、一対のクラスプ１０Ａ，１０Ｂを閉鎖状態にすると、一方のクラスプ１０Ａの基端部が他方のクラスプ１０Ｂの内部を通過して延びるとともに、他方のクラスプ１０Ｂの基端部一方のクラスプ１０Ａの内部を通過して延びるように組み合わせることができる。
【００２０】
すなわち、本実施形態のクラスプ１０は、紐状に延びる一連の真珠Ｓの列の両端にそれぞれ取り付けた２つのクラスプ１０Ａ，１０Ｂを、互いに組み合わせて相互に連結することができる構造となっている。
そして、互いに組み合わせた２つのクラスプ１０Ａ，１０Ｂは、図６に示したように、湾曲して延びる合計４つの環状体１，２が互いに絡み合って複雑な外観を呈する。
これにより、上記特許文献２，３に開示されているような２つのクラスプを止め輪によって連結するものとは異なり、本実施形態のクラスプ１０は、その外観の意匠性を大幅に高めることができる。
特に、第１および第２の環状体１，２の色彩をプラチナ色、シルバー色あるいはゴールド色等とすることにより、紐状に延びる一連の真珠Ｓの色彩と相俟って、高級感に溢れる新規な装身具を提供することができる。
【００２１】
さらに、本実施形態のクラスプ１０は、図７および図８に示したように、真珠ネックレスを構成している真珠Ｓのうちの１つの真珠をその内部に抱持することができる。
これにより、紐状に並ぶ一連の真珠のいずかれ１つを一端のクラスプ１０Ａが抱持し、かつ残りの真珠のいずれか１つを他端のクラスプ１０Ｂが抱持することにより、この真珠ネックレスの長さを調節し、かつ２つのクラスプ１０Ａ，１０Ｂの間で紐状に延びる一連の真珠の列が二重に延びるように配置することができる。
【００２２】
さらに、本実施形態のクラスプ１０は、図８に示したように、その内部に真珠Ｓを抱持したときに、この真珠Ｓの一側の半球部分の外側表面に沿って第１の環状体１が湾曲して延びるとともに、他側の半球部分の外側表面に沿って第２の環状体２が湾曲して延びる構造となっている。
これにより、球形の真珠Ｓと２つの環状体１，２とが互いに絡み合って複雑な外観を呈するから、従来の真珠ネックレス用クラスプとは異なり、その外観の意匠性を大幅に高めることができる。
【００２３】
以上、本発明の装身具用クラスプの一実施形態について詳しく説明したが、本発明は上述した実施形態によって限定されるものではなく、種々の変更が可能であることは言うまでもない。
例えば、上述した実施形態においては、図３に示したよう、クラスプ１０を構成する第１および第２の環状体１，２は、平面上に展開したときにほぼ涙滴状となる形状を有している。
これに対して、第１および第２の環状体１，２は、２つのクラスプ１０Ａ，１０Ｂを互いに組み合わせて連結することができる限りにおいてその形状を変更することもできる。
【符号の説明】
【００２４】
Ｓ  真珠
１  第１の環状体
２  第２の環状体
３  ヒンジ部
４  リング
５  係止手段
１０  一実施形態のクラスプ
【図１】
2011092846.tif 000003
【図２】
2011092846.tif 000004
【図３】
2011092846.tif 000005
【図４】
2011092846.tif 000006
【図５】
2011092846.tif 000007
【図６】
2011092846.tif 000008
【図７】
2011092846.tif 000009
【図８】
2011092846.tif 000010
【国際調査報告】
2011092846.tif 000011
2011092846.tif 000012